(57)【要約】【課題】印刷済の印刷用紙をスタックトレイに一時貯留し後処理後にまとめて排紙する際に、ジャム発生により中断した印刷処理を再開するページをユーザにかける負担を軽減して決定すること。【解決手段】プリンタユニット１００の印刷部１４０で印刷画像を印刷した印刷済の印刷用紙Ｓをサイド排紙部１６０から排紙して、後処理ユニット２００の一時スタックトレイ部２１０に一時貯留した後、まとめて後処理部（１），（２）２３０，２４０に移送して後処理を施す。その際、プリンタユニット１００や後処理ユニット２００のジャム発生を検出して印刷処理を制御部１９０が中断させた時点で、一時スタックトレイ部２１０の直前の搬送経路上の印刷用紙Ｓの有無を用紙検出センサ２２２で所定期間監視する。そして、所定期間中に印刷用紙Ｓが検出状態から非検出状態に変化したら、ジャム解消後の印刷再開ページを、本来のページよりも１つ後のページに変更する。【選択図】図１
2014061684.tif 000002
【特許請求の範囲】
【請求項１】
給紙された印刷用紙に印刷画像を印刷し、印刷済の印刷用紙をスタックトレイに移送して一時貯留し、後処理を施した後にまとめて排紙する後処理付き印刷処理を行う印刷システムにおいて、
前記スタックトレイの直前の箇所における前記印刷用紙の有無を検出する用紙検出センサと、
前記印刷用紙のジャム発生を検出するジャム検出手段と、
前記印刷用紙のジャム発生の検出中に前記後処理付き印刷処理を中断させる中断手段と、
前記後処理付き印刷処理の中断開始時点から所定期間の間における前記用紙検出センサによる前記印刷用紙の検出状態に応じた再開ページから、前記印刷用紙のジャム発生の検出終了後に前記後処理付き印刷処理を再開させる再開手段と、
を備えることを特徴とする印刷システム。
【請求項２】
前記再開手段は、前記後処理付き印刷処理の中断開始時点から前記所定期間の間に前記用紙検出センサによる前記印刷用紙の検出状態が有から無に変化した場合に、前記後処理付き印刷処理の中断開始時点における制御上の前記スタックトレイに対する移送済最終ページの次のページとしていた前記再開ページを、さらにその次のページに変更することを特徴とする請求項１記載の印刷システム。
【請求項３】
前記後処理付き印刷処理の中断開始時点から前記所定期間の間に前記用紙検出センサによる前記印刷用紙の検出状態が有から無に変化した場合に、前記スタックトレイの直前の箇所を含む確認エリアにおける前記印刷用紙のジャム発生状態の確認を指示する確認指示手段と、前記再開ページを指定する再開ページ指定手段とをさらに備えており、前記再開手段は、前記再開ページ指定手段により前記再開ページが前記後処理付き印刷処理の再開時までに指定された場合に、指定された前記再開ページから前記後処理付き印刷処理を再開させることを特徴とする請求項１又は２記載の印刷システム。
【発明の詳細な説明】
【技術分野】
【０００１】
本発明は、印刷済の印刷用紙をスタックトレイに一時貯留し後処理後にまとめて排紙する印刷システムに関する。
【背景技術】
【０００２】
印刷装置で印刷用紙のジャムが発生して印刷処理が中断された場合に、排紙トレイに排紙した最終ページの印刷用紙の画像を表示させ、排紙トレイに実際に排紙された最終ページの印刷用紙と照合した結果必要な場合は再開ページを指定させることで、再開ページのずれを防止する技術が提案されている（例えば、特許文献１）。
【先行技術文献】
【特許文献】
【０００３】
【特許文献１】特開２００３−３０５９０６号公報
【発明の概要】
【発明が解決しようとする課題】
【０００４】
ユーザが再開ページを正しく指定するのは容易でない。なぜならば、例えば両面印刷の場合には、排紙された印刷用紙の最終ページと表示された最終ページの画像とが一致しても、その最終ページの印刷用紙が片面（表面）だけしか印刷されていなければ、最終ページの次のページではなく最終ページから印刷を再開しなければならない。しかし、そのような判断をユーザが行うには、ある程度の慣れが必要になる。
【０００５】
また、排紙前に印刷用紙をスタックトレイに一時貯留し、まとめてステープルや穴あけ等の後処理を施してから排紙する場合は、排紙トレイに排紙された最終ページよりも後のページが印刷されたスタックトレイの印刷用紙もそのまま利用できる。このため、再開ページをユーザが判断するにはスタックトレイの印刷用紙のことも勘定に入れる必要がある。
【０００６】
しかも、スタックトレイは排紙トレイと違って印刷装置の筐体内に収容されていて、ユーザの目に付く場所に存在しないことが多いので、スタックトレイに排紙された印刷用紙をその都度確認してジャム解消後の印刷処理の再開ページを判断するのは、ユーザにとって負担となる。
【０００７】
本発明は前記事情に鑑みなされたものであり、本発明の目的は、印刷済の印刷用紙をスタックトレイに一時貯留し後処理後にまとめて排紙する際に、ジャム発生により中断した印刷処理を再開するページをユーザにかける負担を軽減して決定することができる印刷システムを提供することにある。
【課題を解決するための手段】
【０００８】
上記目的を達成するために、請求項１に記載した本発明の印刷システムは、
給紙された印刷用紙に印刷画像を印刷し、印刷済の印刷用紙をスタックトレイに移送して一時貯留し、後処理を施した後にまとめて排紙する後処理付き印刷処理を行う印刷システムにおいて、
前記スタックトレイの直前の箇所における前記印刷用紙の有無を検出する用紙検出センサと、
前記印刷用紙のジャム発生を検出するジャム検出手段と、
前記印刷用紙のジャム発生の検出中に前記後処理付き印刷処理を中断させる中断手段と、
前記後処理付き印刷処理の中断開始時点から所定期間の間における前記用紙検出センサによる前記印刷用紙の検出状態に応じた再開ページから、前記印刷用紙のジャム発生の検出終了後に前記後処理付き印刷処理を再開させる再開手段と、
を備えることを特徴とする。
【０００９】
請求項１に記載した本発明の印刷システムによれば、印刷用紙のジャム発生が検出されて後処理付き印刷処理が中断される場合、印刷用紙の搬送は印刷処理の中断開始時に即座に停止される訳ではなく、惰性で多少搬送された後に停止される。
【００１０】
したがって、ジャム発生による印刷処理の中断時にスタックトレイの直前まで搬送された印刷済の印刷用紙については、惰性によってその後スタックトレイに排紙される場合もあれば、排紙される直前で搬送停止される場合もある。
【００１１】
そして、印刷処理の中断開始から所定期間の間に、スタックトレイの直前の箇所における印刷用紙の検出状態が有から無に変化すると、印刷処理の中断開始時にスタックトレイの直前にあった印刷済の印刷用紙が所定期間の間に惰性でスタックトレイに移送されたものと考えられる。
【００１２】
一方、印刷処理の中断開始から所定期間の間に、スタックトレイの直前の箇所における印刷用紙の検出状態が有又は無のまま変わらなければ、スタックトレイに移送された印刷済の印刷用紙の内容は、印刷処理の中断開始時とその後所定期間が経過した時点とで、変わりがないものと考えられる。
【００１３】
印刷処理の中断開始から所定期間の間に、スタックトレイの直前の箇所における印刷用紙の検出状態が無から有に変化した場合も、印刷処理の中断開始時にスタックトレイの直前に到達していなかった印刷済の印刷用紙が所定期間の間に惰性でスタックトレイの直前まで移送されただけに過ぎず、スタックトレイには移送されていないものと考えられる。
【００１４】
このため、印刷処理の中断開始から所定期間の間における、スタックトレイの直前の箇所における印刷用紙の検出状態に応じて、印刷処理の再開ページをどのページにするかを、スタックトレイに対する印刷済の印刷用紙の移送状態を考慮して的確に決定することができる。これにより、ジャム発生により中断した印刷処理を再開するページを、ユーザにかける負担を軽減して決定することができる。
【００１５】
また、請求項２に記載した本発明の印刷システムは、請求項１に記載した本発明の印刷システムにおいて、前記再開手段は、前記後処理付き印刷処理の中断開始時点から前記所定期間の間に前記用紙検出センサによる前記印刷用紙の検出状態が有から無に変化した場合に、前記後処理付き印刷処理の中断開始時点における制御上の前記スタックトレイに対する移送済最終ページの次のページとしていた前記再開ページを、さらにその次のページに変更することを特徴とする。
【００１６】
請求項２に記載した本発明の印刷システムによれば、請求項１に記載した本発明の印刷システムにおいて、印刷処理の中断開始から所定期間の間にスタックトレイの直前の箇所における印刷用紙の検出状態が有から無に変化した場合は、印刷処理の中断開始時にスタックトレイの直前にあった印刷済の印刷用紙が所定期間の間に惰性でスタックトレイに移送されたものと考えられる。
【００１７】
しかし、制御上のスタックトレイに対する移送済最終ページは、印刷処理の中断開始時点で既にスタックトレイに移送されている１つ前のページとなるので、この場合は、再開ページを、制御上のスタックトレイに対する移送済最終ページの次のページから、さらにその次のページに変更する。これにより、印刷処理の中断開始から所定期間の間にスタックトレイにさらにもう１ページの印刷済の印刷用紙が移送されても、印刷処理の再開ページを的確に決定することができる。
【００１８】
さらに、請求項３に記載した本発明の印刷システムは、請求項１又は２に記載した本発明の印刷システムにおいて、前記後処理付き印刷処理の中断開始時点から前記所定期間の間に前記用紙検出センサによる前記印刷用紙の検出状態が有から無に変化した場合に、前記スタックトレイの直前の箇所を含む確認エリアにおける前記印刷用紙のジャム発生状態の確認を指示する確認指示手段と、前記再開ページを指定する再開ページ指定手段とをさらに備えており、前記再開手段は、前記再開ページ指定手段により前記再開ページが前記後処理付き印刷処理の再開時までに指定された場合に、指定された前記再開ページから前記後処理付き印刷処理を再開させることを特徴とする。
【００１９】
請求項３に記載した本発明の印刷システムによれば、請求項１又は２に記載した本発明の印刷システムにおいて、印刷処理の中断開始から所定期間の間に、スタックトレイの直前の箇所における印刷用紙の検出状態が有から無に変わった場合以外の場合は、スタックトレイに移送された印刷済の印刷用紙の内容が、印刷処理の中断開始時とその後所定期間が経過した時点とで、変わっていないものと考えられる。
【００２０】
一方、印刷処理の中断開始から所定期間の間に、スタックトレイの直前の箇所における印刷用紙の検出状態が有から無に変わった場合は、所定期間中に印刷済の印刷用紙がスタックトレイに必ず移送されているとは限らず、例えば、用紙検出センサとスタックトレイとの間でジャムを起こしている可能性等がある。
【００２１】
そこで、印刷処理の中断開始から所定期間の間に、スタックトレイの直前の箇所における印刷用紙の検出状態が有から無に変わった場合に限って、スタックトレイの直前の箇所を含む確認エリアにおけるジャム発生状態の確認をユーザに指示し、確認結果に応じた再開ページをユーザに指定させる。
【００２２】
これにより、少なくとも、印刷処理の中断開始から所定期間の間にスタックトレイの直前の箇所における印刷用紙の検出状態が有から無に変わっっていない場合には、ジャム発生により中断した印刷処理を再開するページをユーザにかける負担を軽減して決定することができる。
【００２３】
なお、請求項３に記載した本発明の印刷システムにおいて、前記再開ページ指定手段は、前記後処理付き印刷処理の中断開始時点における制御上の前記スタックトレイに対する移送済最終ページの次のページをデフォルトの前記再開ページとして含む印刷再開ページ指定画面をディスプレイに表示させ、該印刷再開ページ指定画面上で前記再開ページの指定を受け付けることを特徴とする印刷システムを構成してもよい。
【００２４】
そのように構成すれば、スタックトレイの直前の確認エリアにおける印刷用紙のジャム発生状態と共に、現在の再開ページを視覚的に確認した上で、適切なページを再開ページとして指定することができる。
【発明の効果】
【００２５】
本発明によれば、ジャム発生により中断した印刷処理を再開するページを、ユーザにかける負担を軽減して決定することができる。
【図面の簡単な説明】
【００２６】
【図１】本発明の一実施形態に係る印刷システムの概略構成を示す説明図である。
【図２】図１のプリンタユニットの制御系の構成を示すブロック図である。
【図３】図１のプリンタユニットのディスプレイに表示される印刷再開ページ指定画面を示す説明図である。
【図４】図１の後処理ユニットの制御系の構成を示すブロック図である。
【図５】図２のプリンタユニットの制御部のＣＰＵがＲＯＭのプログラムを実行することにより行うジャム発生から印刷再開までの主な処理の手順を示すフローチャートである。
【発明を実施するための形態】
【００２７】
以下、本発明の実施形態について図面を参照しながら説明する。図１は本発明の一実施形態に係る印刷システムの概略構成を示す説明図である。
【００２８】
図１に示す本実施形態のプリンタシステム１は、印刷用紙Ｓに対する印刷を実行するプリンタユニット１００と、印刷用紙Ｓに対して後処理を実行する後処理ユニット（フィニッシャユニット）２００とを備えている。
【００２９】
（印刷装置の全体構成）
本実施形態に係るプリンタユニット１００は、環状の搬送経路（図示せず）上を搬送される印刷用紙Ｓに対し画像を形成する。この搬送経路は、サイド給紙台１２０や給紙トレイ１３０から印刷部１４０を経て、排紙トレイ１５０へ至る搬送路（図示せず）と、サイド給紙台１２０や給紙トレイ１３０から印刷部１４０を経て、後処理ユニット２００が接続されるサイド排紙部１６０に至る搬送路（図示せず）とを有している。
【００３０】
上述した搬送経路を印刷用紙Ｓが搬送される際に、印刷部１４０において印刷用紙Ｓの上面に画像が印刷される。印刷済みの印刷用紙Ｓは、後処理を行わない場合は排紙トレイ１５０から排紙される。但し、両面印刷する際には、排紙トレイ１５０内の反転経路（図示せず）において反転されて再び印刷部１４０に搬送され、裏面に対して画像が印刷される。
【００３１】
なお、印刷部１４０は、例えばインクジェット方式や電子写真方式、孔版印刷方式等の画像形成手段によって構成することができる。
【００３２】
このようにして片面又は両面に画像が印刷された印刷用紙Ｓを後処理ユニット２００で後処理する場合は、サイド排紙部１６０に搬送されて後処理ユニット２００に受け渡される。
【００３３】
また、プリンタユニット１００における各種の制御は、制御部１９０によって行われる。この制御部１９０は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールである。
【００３４】
そして、制御部１９０は、プログラムを適宜読み込んで実行することにより種々の機能モジュールを仮想的に構築し、構築された各機能モジュールによって、画像データに関する処理や、各部の動作制御、ユーザー操作に対する種々の処理を行う。また、この制御部１９０には、タッチパネル式のディスプレイ１７０が接続されており、ディスプレイ１７０上で表示を参照しつつタッチ操作することで、ユーザーによる指示や設定操作を受け付けることができる。
【００３５】
後処理ユニット２００は、一時スタックトレイ部２１０（請求項中のスタックトレイに相当）と後処理部（１），（２）２３０，２４０を備えている。後処理部（１）２３０や後処理部（２）２４０は、それぞれ、印刷用紙Ｓの束にパンチ穴を開けるパンチ処理部、ステープル綴じするステープル処理部、中綴じ（中折り）処理する中綴じ処理部等によって構成される。
【００３６】
プリンタユニット１００のサイド排紙部１６０から排紙された印刷用紙Ｓは、後処理する束となるまで一時スタックトレイ部２１０に一時貯留され、後処理内容に対応する後処理部（１）２３０や後処理部（２）２４０に、搬送部２２０を介してまとめて移送される。
【００３７】
後処理部（１）２３０や後処理部（２）２４０で後処理された印刷用紙Ｓの束は、それぞれに対応する排紙トレイ２５０，２６０に排紙される。
【００３８】
また、後処理ユニット２００における各種の制御は、制御部２７０によって行われる。この制御部２７０は、プリンタユニット１００の制御部１９０と同様に、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールである。
【００３９】
そして、制御部２７０は、プログラムを適宜読み込んで実行することにより種々の機能モジュールを仮想的に構築し、構築された各機能モジュールによって、印刷用紙Ｓの束に対する後処理のための各種処理を行う。後処理に関する設定内容は、プリンタユニット１００の制御部１９０から制御部２７０に通知される。
【００４０】
図２はプリンタユニット１００の制御系の構成を示すブロック図である。本実施形態のプリンタユニット１００は、図１を参照して説明した印刷部１４０に加えて、図２に示すように、原稿上の原稿画像を読み取って画像信号を出力するスキャナ部１１０と、各種入力及び表示用のディスプレイ１７０と、プリンタユニット１００の搬送経路における印刷用紙Ｓの搬送を行う搬送部１８０と、全体制御用の制御部１９０とを備えている。印刷部１４０は、スキャナ部１１０から出力された画像信号に基づいて印刷用紙Ｓ（片面又は両面）に原稿画像を印刷（記録）することもできる。
【００４１】
制御部１９０は、外部インタフェース部１９４を介してネットワークに接続されている。このネットワークには、例えば、１００ＢＡＳＥ−ＴＸの有線ＬＡＮが用いられる。そして、ネットワークに接続された不図示のクライアント端末から制御部１９０は、原稿画像の印刷ジョブを受け取る。この印刷ジョブは、ポストスクリプトデータと印刷環境データとを含んでいる。制御部１９０は、受け取った印刷ジョブのポストスクリプトデータにより原稿画像のラスタデータを生成する。プリンタユニット１００は、印刷ジョブの印刷環境情報において指定された条件で、原稿画像の印刷用紙Ｓへの印刷を印刷部１４０において実行する。
【００４２】
また、制御部１９０は、印刷ジョブによる印刷用紙Ｓへの印刷処理と、後処理のあるなしに応じた印刷用紙Ｓの搬送部１８０による搬送、排紙処理を行う。後処理のある印刷ジョブの印刷用紙Ｓは後処理ユニット２００に引き渡され、後処理のない印刷ジョブの印刷用紙Ｓは、原則的には排紙トレイ１５０から排紙される。
【００４３】
搬送部１８０は、プリンタユニット１００の搬送経路上の各所で印刷用紙Ｓのジャム発生を検出する複数のジャム検出センサ１８１と、サイド排紙部１６０を通過する印刷用紙Ｓを検出する用紙検出センサ１８２とを有している。これらのセンサ１８１，１８２は、制御部１９０のＣＰＵ１９１に接続されている。
【００４４】
また、制御部１９０のＣＰＵ１９１には、上述したディスプレイ１７０が接続されている。このディスプレイ１７０は、スキャナ部１１０にセットした原稿画像を複写印刷する複写モードでプリンタユニット１００を使用する場合に、複写枚数や複写倍率等といった複写条件をユーザが入力する入力操作部として利用することができる。
【００４５】
上述した制御部１９０のＣＰＵ１９１は、ＲＯＭ１９２に格納されているプログラム及び設定情報に基づいて、ディスプレイ１７０から入力設定される内容に応じたスキャナ部１１０や印刷部１４０の動作を制御する。
【００４６】
特に、ＣＰＵ１９１は、ジャム検出センサ１８１により搬送経路上での印刷用紙Ｓのジャム発生を検出した場合に、ジャム検出センサ１８１がジャム発生を検出しなくなるまで、搬送部１８０による印刷用紙Ｓの搬送と印刷部１４０による印刷用紙Ｓへの画像の印刷処理を中断させる。また、ＣＰＵ１９１は、後述する後処理ユニット２００の制御部２７０に通知して、後処理ユニット２００側における各種の処理も中断させる。
【００４７】
さらに、ＣＰＵ１９１は、後述する後処理ユニット２００の制御部２７０から、後処理ユニット２００側において印刷用紙Ｓのジャムの発生が検出されたとの通知を受けると、制御部２７０に通知して、後処理ユニット２００側における各種の処理も中断させる。これと並行して、ＣＰＵ１９１は、搬送部１８０による印刷用紙Ｓの搬送と、印刷部１４０による印刷用紙Ｓへの画像の印刷処理を中断させる。また、ＣＰＵ１９１は、ジャム発生検出の終了に伴い、中断させた印刷用紙Ｓの搬送と印刷用紙Ｓへの画像の印刷処理、並びに、後処理ユニット２００側における各種の処理を再開する際に、どのページから印刷用紙Ｓに画像を印刷するか（再開ページ）を、中断中に後処理ユニット２００の制御部２７０から通知される用紙検出センサ２２２の検出内容から決定する。
【００４８】
なお、ＣＰＵ１９１は、中断させた印刷用紙Ｓの搬送及び印刷処理を再開する際の上述した再開ページを、ディスプレイ１７０に表示させた、図３の説明図に示す印刷再開ページ指定画面上において、ユーザにより指定させることができる。
【００４９】
この印刷再開ページ指定画面には、後処理ユニット２００の一時スタックトレイ部２１０の直前の搬送経路箇所（請求項中の確認エリアに相当）における印刷用紙Ｓのジャム発生状態の確認を指示するメッセージＭが表示される。このメッセージＭには、必要に応じて印刷再開ページの変更を指定するよう促す文言も含まれている。
【００５０】
また、印刷再開ページ指定画面には、制御部１９０がデフォルトの印刷再開ページとして設定しているページの画像が表示され、その左右には、印刷再開ページを前後のページに変更するための矢印の画像が表示される。この矢印の画像をタッチ操作することで、ユーザが印刷再開ページを前後のページに変更させるよう指定することができる。なお、印刷再開させずに印刷処理を中止する入力を行うこともできる。
【００５１】
なお、図２に示すプリンタユニット１００の制御部１９０にはＲＡＭ１９３が設けられており、ＲＡＭ１９３にはディスプレイ１７０から入力された印刷枚数や各種の設定内容が随時記憶される。また、ＲＡＭ１９３にはフレームメモリ領域が設けられている。このフレームメモリ領域には、制御部１９０に入力された印刷ジョブのポストスクリプトデータからＣＰＵ１９１が生成する、原稿画像のラスタデータが、印刷部１４０に出力されるまでの間、一時的に記憶される。
【００５２】
また、制御部１９０には外部記憶装置１９５が設けられている。この外部記憶装置１９５には、ディスプレイ１７０、印刷部１４０のカラーマッチングシステム及びプリンタエンジン、スキャナ部１１０のドライバソフトウェア等が、使用する領域を分けてそれぞれ記憶されている。
【００５３】
プリンタユニット１００の制御部１９０には、外部インタフェース部１９４を介して、後処理ユニット２００の後述する外部インタフェース部２７４（図４参照）が接続されている。この接続には、例えば、１００ＢＡＳＥ−ＴＸの有線ＬＡＮが用いられる。制御部１９０は、印刷した印刷用紙Ｓ（図１参照）に施す後処理に関してディスプレイ１７０から入力された処理内容を示すコマンドを、後処理ユニット２００に出力する。
【００５４】
図４は後処理ユニット２００の制御系の構成を示すブロック図である。後処理ユニット２００は、一時スタックトレイ部２１０、搬送部２２０、後処理部（１）２３０、後処理部（２）２４０の他に、全体制御用の制御部２７０を有している。
【００５５】
搬送部２２０は、一時スタックトレイ部２１０の直前の搬送経路上で印刷用紙Ｓのジャム発生を検出するジャム検出センサ２２１と、搬送経路から一時スタックトレイ部２１０に搬送される印刷用紙Ｓを検出する用紙検出センサ２２２とを有している。これらのセンサ２２１，２２２は、制御部２７０のＣＰＵ２７１に接続されている。
【００５６】
制御部２７０は、ＲＯＭ２７２に格納されているプログラムおよび設定情報に基づき、後処理ユニット２００の動作を制御するＣＰＵ２７１を備える。ＣＰＵ２７１には、外部インタフェース部２７４を介してプリンタユニット１００の外部インタフェース部１９４（図２参照）が接続されている。
【００５７】
ＣＰＵ２７１は、プリンタユニット１００の制御部１９０（図２参照）から、プリンタユニット１００のディスプレイ１７０により入力設定された後処理内容を示すコマンドを受け取る。ＣＰＵ２７１に接続されたＲＡＭ２７３には、コマンドにより制御部１９０から通知された、後処理ユニット２００で行う後処理に関連する各種の設定内容が随時記憶される。
【００５８】
制御部２７０のＣＰＵ２７１は、ＲＡＭ２７３にコマンドとして記憶される、プリンタユニット１００のディスプレイ１７０によって入力設定されたモード等の内容にしたがって、後処理ユニット２００の各部の制御内容を決定する。これにより、後処理ユニット２００はプリンタユニット１００側の動作に連動して動作することができる。
【００５９】
また、制御部２７０には外部記憶装置２７５が設けられている。この外部記憶装置２７５は、後処理ユニット２００の各部のドライバソフトウェア等が記憶されている。
【００６０】
そして、制御部２７０は、プリンタユニット１００から引き渡された後処理のある印刷ジョブの印刷用紙Ｓに対して、プリンタユニット１００の制御部１９０から指令された内容に応じた後処理を施し、排紙する。
【００６１】
また、制御部２７０は、ジャム検出センサ２２１により搬送経路上での印刷用紙Ｓのジャム発生を検出した場合に、ジャム検出センサ２２１がジャム発生を検出しなくなるまで、搬送部２２０による印刷用紙Ｓの搬送と後処理部（１）２３０や後処理部（２）２４０による印刷用紙Ｓへの後処理を中断させる。また、ＣＰＵ２７１は、ジャム検出センサ２２１がジャム発生を検出しなくなるまでの間、プリンタユニット１００の制御部１９０に、印刷用紙Ｓのジャム発生を検出した旨を随時通知する。さらに、ＣＰＵ２７１は、ジャム検出センサ２２１によるジャム発生検出の有無に関係なく、常時、用紙検出センサ２２２の出力の内容をプリンタユニット１００の制御部１９０に通知する。
【００６２】
さらに、ＣＰＵ２７１は、プリンタユニット１００の制御部１９０から、プリンタユニット１００側において印刷用紙Ｓのジャムの発生が検出されたとの通知を受けると、その通知が終わるまでの間、上述した搬送部２２０や後処理部（１）２３０、後処理部（２）２４０における各種の処理も中断させる。
【００６３】
次に、図５のフローチャートを参照して、プリンタユニット１００の制御部１９０のＣＰＵ１９１がＲＯＭ１９２に格納されたプログラムを実行することにより実行するジャム発生から印刷再開までの主な処理の手順を説明する。ＣＰＵ１９１は、プリンタユニット１００の電源が投入されている間、図５のフローチャートの手順を繰り返し実行する。
【００６４】
まず、ＣＰＵ１９１は、後処理ユニット２００の制御部２７０からの通知も参照して、いずれかのジャム検出センサ１８１，２２１が印刷用紙Ｓのジャム発生を検出したか否かを確認する（ステップＳ１）。ジャム発生を検出していない場合は（ステップＳ１でＮＯ）、一連の処理を終了して再びステップＳ１以降の処理を実行する。
【００６５】
一方、ジャム発生を検出した場合は（ステップＳ１でＹＥＳ）、印刷用紙Ｓの搬送部１８０による搬送と印刷部１４０による印刷動作とを停止させると共に、後処理ユニット２００の制御部２７０にも後処理ユニット２００側での各種の処理を停止させて、印刷処理を中断させ（ステップＳ３）、サイド排紙部１６０の用紙検出センサ１８２の出力を所定期間監視する（ステップＳ５）。
【００６６】
そして、所定期間の間に、後処理ユニット２００の制御部２７０から通知される用紙検出センサ２２２の出力が、印刷用紙Ｓの検出状態から非検出状態に変化したか否かを確認し（ステップＳ７）、変化していない場合は（ステップＳ７でＮＯ）、プリンタユニット１００の内部データ（印刷機内部データ）に基づいて印刷再開ページを指定した後（ステップＳ９）、後述するステップＳ２１に移行する。
【００６７】
ここで、ステップＳ９で指定される印刷機内部データに基づく印刷再開ページとは、具体的には、ステップＳ３で印刷処理を中断させた時点（中断開始時）においてＣＰＵ１９１の制御上でカウントされている、サイド排紙部１６０から後処理ユニット２００（の一時スタックトレイ部２１０）に移送されたページの次のページのことである。
【００６８】
つまり、印刷処理の中断開始時に一時スタックトレイ部２１０に既に移送された印刷用紙Ｓは、ジャム解消による印刷処理の再開後に一時スタックトレイ部２１０に移送される印刷用紙Ｓと共に、後処理部（１）２３０や後処理部（２）２４０にまとめて移送して後処理を施すことができる。このため、印刷再開時に最初に印刷するページは、一時スタックトレイ部２１０に既に移送された最後のページの次のページでよいことになる。
【００６９】
一方、印刷処理の中断開始時から所定期間の間に、用紙検出センサ２２２の出力が印刷用紙Ｓの検出状態から非検出状態に変化した場合は（ステップＳ７でＹＥＳ）、ＣＰＵ１９１は、図３の印刷再開ページ指定画面をディスプレイ１７０に表示させる（ステップＳ１１）。そして、ＣＰＵ１９１は、ジャム検出センサ１８１，２２１の出力に基づいて、発生したジャムが解消したか否かを確認する（ステップＳ１３）。
【００７０】
ジャムが解消していない場合は（ステップＳ１３でＮＯ）、解消するまでステップＳ１３をリピートし、解消した場合は（ステップＳ１３でＹＥＳ）、ＣＰＵ１９１は、図３の印刷再開ページ指定画面において印刷再開ページが指定されたか否かを確認する（ステップＳ１５）。
【００７１】
印刷再開ページ指定画面において印刷再開ページが指定されていない場合は（ステップＳ１５でＮＯ）、ＣＰＵ１９１は、プリンタユニット１００の内部データ（印刷機内部データ）に基づいて印刷再開ページを指定した後（ステップＳ１７）、ステップＳ２１に移行する。
【００７２】
ここで、ステップＳ１７で指定される印刷機内部データに基づく印刷再開ページとは、具体的には、ステップＳ３で印刷処理を中断させた時点（中断開始時）においてＣＰＵ１９１の制御上でカウントされている、後処理ユニット２００の搬送経路から一時スタックトレイ部２１０に移送されたページの２ページ後のページのことである。
【００７３】
つまり、ステップＳ７において、印刷処理の中断開始から所定期間の間に、用紙検出センサ２２２の出力が印刷用紙Ｓの検出状態から非検出状態に変化したということは、印刷処理の中断開始時に後処理ユニット２００において、一時スタックトレイ部２１０の直前の搬送経路上に存在していた印刷用紙Ｓが、その後所定期間の間に存在しなくなったと言うことである。
【００７４】
そして、一時スタックトレイ部２１０の直前の搬送経路上に存在しなくなった印刷用紙Ｓは、ＣＰＵ１９１の指示により後処理ユニット２００の制御部２７０のＣＰＵ２７１が停止させた搬送部２２０の惰性による動作で、一時スタックトレイ部２１０の直前の搬送経路上から排紙され、後処理ユニット２００の一時スタックトレイ部２１０に落下した可能性がある。印刷処理の再開前に一時スタックトレイ部２１０に既に移送されている印刷用紙Ｓは、ジャム解消による印刷処理の再開後に一時スタックトレイ部２１０に移送される印刷用紙Ｓと共に、後処理部（１）２３０や後処理部（２）２４０にまとめて移送して後処理を施すことができる。このため、印刷再開時に最初に印刷するページは、一時スタックトレイ部２１０に既に移送された最後のページの２ページ後のページでよいことになる。
【００７５】
一方、印刷再開ページ指定画面において印刷再開ページが指定された場合は（ステップＳ１５でＹＥＳ）、指定されたページを印刷再開ページとして設定した後（ステップＳ１９）、ステップＳ２１に移行する。
【００７６】
ここで、印刷再開ページ指定画面において印刷再開ページが指定されるのは、印刷再開ページ指定画面中のメッセージＭの文言にしたがって、ユーザがサイド排紙部１６０における印刷用紙Ｓのジャム発生状態を目視で確認した結果を踏まえたものであることが考えられる。
【００７７】
つまり、ディスプレイ１７０に印刷再開ページ指定画面が表示されるきっかけとなる、印刷処理の中断開始時から所定期間の間に、後処理ユニット２００の用紙検出センサ２２２の出力が印刷用紙Ｓの検出状態から非検出状態に変化した場合、所定期間中に一時スタックトレイ部２１０の直前の搬送経路上の印刷用紙Ｓが一時スタックトレイ部２１０に必ず落下しているとは限らず、例えば、一時スタックトレイ部２１０の外に落下していたり、搬送経路と一時スタックトレイ部２１０との間で新たにジャムを起こしている可能性もある。
【００７８】
そこで、印刷処理の中断開始から所定期間の間に、一時スタックトレイ部２１０の直前の搬送経路上の印刷用紙Ｓの検出状態が有から無に変わった場合に限って、一時スタックトレイ部２１０の直前の搬送経路上におけるジャム発生状態の目視確認を、印刷再開ページ指定画面のメッセージＭによりユーザに指示し、確認結果に応じた印刷再開ページをユーザに指定させることにした。
【００７９】
これにより、少なくとも、印刷処理の中断開始から所定期間の間に一時スタックトレイ部２１０の直前の搬送経路上の印刷用紙Ｓの検出状態が有から無に変わっていない場合には、ジャム発生により中断した印刷処理を再開するページを、ユーザにかける負担を軽減して決定することができる。
【００８０】
ステップＳ２１では、ＣＰＵ１９１は、指定されたページから印刷処理を再開する。そして、一連の処理を終了して再びステップＳ１以降の処理を実行する。
【００８１】
以上の説明からも明らかなように、本実施形態では、図５のフローチャートにおけるステップＳ１が、請求項中のジャム検出手段に対応する処理となっている。また、本実施形態では、図５中のステップＳ３が、請求項中の中断手段に対応する処理となっている。さらに、本実施形態では、図５中のステップＳ２１が、請求項中の再開手段に対応する処理となっている。
【００８２】
また、本実施形態では、図５中のステップＳ１７が、請求項中の再開ページ変更手段に対応する処理となっている。さらに、本実施形態では、図５中のステップＳ１１が、請求項中の確認指示手段に対応する処理となっている。また、本実施形態では、図３の印刷再開ページ指定画面を表示したディスプレイ１７０が、請求項中の再開ページ指定手段を構成している。
【００８３】
このように、本実施形態のプリンタシステム１によれば、プリンタユニット１００の印刷部１４０で印刷画像を印刷した印刷済の印刷用紙Ｓをサイド排紙部１６０から排紙して、後処理ユニット２００の搬送経路上を経て一時スタックトレイ部２１０に一時貯留した後、まとめて後処理部（１）２３０や後処理部（２）２４０に移送して後処理を施す際に、次のような構成を採用した。
【００８４】
即ち、後処理ユニット２００のジャム検出センサ２２１が後処理ユニット２００のジャム発生を検出して、プリンタユニット１００における印刷処理や後処理ユニット２００における各種の処理を制御部１９０が中断させた時点で、一時スタックトレイ部２１０の直前の搬送経路上の印刷用紙Ｓの有無を用紙検出センサ２２２で所定期間監視する。そして、所定期間中に印刷用紙Ｓが検出状態から非検出状態に変化したら、印刷処理中断後に惰性で印刷用紙Ｓがさらに一時スタックトレイ部２１０に落下したものとして、ジャム解消後の印刷再開ページを、本来のページよりも１つ後のページに変更するようにした。
【００８５】
このため、印刷処理の中断開始から所定期間の間に、一時スタックトレイ部２１０の直前の搬送経路上における印刷用紙Ｓの検出状態が有から無に変化したか否かによって、印刷処理の再開ページをどのページにするかを、一時スタックトレイ部２１０に対する印刷済の印刷用紙Ｓの移送状態を考慮して的確に決定することができる。これにより、ジャム発生により中断した印刷処理を再開するページを、ユーザにかける負担を軽減して決定することができる。
【００８６】
なお、印刷処理の中断から所定期間の間に、用紙検出センサ２２２の出力が印刷用紙Ｓの検出状態から非検出状態に変化した場合に（図５のステップＳ７でＹＥＳ）、図３の印刷再開ページ指定画面をディスプレイ１７０に表示させて（図５のステップＳ１１）、ジャムが解消するまでの間、印刷再開ページのユーザによる変更を受け付ける構成は、省略してもよい。
【００８７】
また、本実施形態では、一時スタックトレイ部２１０の上流側に後処理ユニット２００の搬送経路が存在するため、後処理ユニット２００側の用紙検出センサ２２２による検出結果で、印刷処理中断中の一時スタックトレイ部２１０への印刷用紙Ｓの落下の有無を把握するものとした。したがって、プリンタユニット１００の制御部１９０は、後処理ユニット２００の制御部２７０が通知するその把握内容に応じて印刷再開ページを決定した。
【００８８】
しかし、例えば、プリンタユニット１００のサイド排紙部１６０から排紙された印刷用紙Ｓが後処理ユニット２００の一時スタックトレイ部２１０に直接投入される程、一時スタックトレイ部２１０の上流側に後処理ユニット２００の搬送経路が存在しない場合もある。その場合は、サイド排紙部１６０を通過する印刷用紙Ｓの用紙検出センサ１８２による検出結果で、印刷処理中断中の一時スタックトレイ部２１０への印刷用紙Ｓの落下の有無を把握し、その把握内容に応じて印刷再開ページをプリンタユニット１００の制御部１９０が決定するようにしてもよい。
【符号の説明】
【００８９】
１  プリンタシステム
１００  プリンタユニット
１１０  スキャナ部
１２０  サイド給紙台
１３０  給紙トレイ
１４０  印刷部
１５０  排紙トレイ
１６０  サイド排紙部
１７０  ディスプレイ
１８０  搬送部
１８１  ジャム検出センサ
１８２  用紙検出センサ
１９０  制御部
１９１  ＣＰＵ
１９２  ＲＯＭ
１９３  ＲＡＭ
１９４  外部インタフェース部
１９５  外部記憶装置
２００  後処理ユニット
２１０  スタックトレイ
２１０  一時スタックトレイ部
２２０  搬送部
２５０，２６０  排紙トレイ
２７０  制御部
２７１  ＣＰＵ
２７２  ＲＯＭ
２７３  ＲＡＭ
２７４  外部インタフェース部
２７５  外部記憶装置
Ｍ  メッセージ
Ｓ  印刷用紙
【図１】
2014061684.tif 000003
【図２】
2014061684.tif 000004
【図３】
2014061684.tif 000005
【図４】
2014061684.tif 000006
【図５】
2014061684.tif 000007